(57)【特許請求の範囲】
【請求項１】
メスハウジングと前記メスハウジングを内部に収納する空間を有するオスハウジングとを備えて成るレバー内蔵コネクタであって、
前記メスハウジングがレバーをハウジングの外側に備え、
前記オスハウジングが、前記オスハウジングの内側と前記メスハウジングの外側との間に前記レバーを押すレバー押圧部材と、前記レバー押圧部材を押すことにより前記レバーの内側に引き込まれる引き込み用ボスと、を備えたレバー内蔵コネクタにおいて、
前記レバーが、ピンを中心にして回動する１対のＬ字形レバーを左右対称に備え、かつ前記Ｌ字形レバーの先端には至近距離にあるボスを内側に引き込む引き込み曲面が形成されていることを特徴とするレバー内蔵コネクタ。
【発明の詳細な説明】
【技術分野】
【０００１】
本発明は、レバー内蔵コネクタに関するもので、特に従来製品で必要とされたスライド部材を不要にしたレバー内蔵コネクタに関する。
【背景技術】
【０００２】
第１コネクタと第２コネクタから成るコネクタにレバーを内蔵させてコネクタ嵌合の際の低嵌合化を図る技術思想は公知である（例えば、特許文献１〜３参照）。
【先行技術文献】
【特許文献】
【０００３】
【特許文献１】特許第３６４３２８３号号公報
【特許文献２】特開２００７−５０８８号公報
【特許文献３】特開２００４−３９３４２号公報
【発明の概要】
【発明が解決しようとする課題】
【０００４】
〈従来装置の問題点〉
特許文献１記載の発明は、第１コネクタがレバーとスライド部材を有しており、かつ第２コネクタがレバーと協働する構造を有しているものであるが、スライド部材を有するため機構が複雑となっていた。しかも、実際の挿入作業では電線だけを持ってコネクタを挿入することが多いが、特許文献１のコネクタではスライド部材を必ず押さなければレバーと連携する機構が働かないため、電線だけを持ってコネクタを挿入することができず、挿入作業が繁雑であった。
特許文献２記載の発明は、コネクタを挿入する際に押圧すべきレバーを有しているので、コネクタを挿入する際に、電線の他にレバーを押圧する作業が必要なため、挿入作業が繁雑であった。
特許文献３記載の発明は、挿入時に押圧すべきレバーは存在しないが、複雑なカム溝や、多数の回動支点・ピン・孔を必要としており、機構が複雑で、故障し易い構造となっていた。
【０００５】
〈本発明の目的〉
本発明は上記欠点を解決するためになされたもので、実際のコネクタ挿入作業では電線を持ってコネクタを挿入することが多いが、電線の他にはレバーやスライダなどを押圧する必要がなく、かつ複雑なカム溝や多数の回動支点・ピン・孔を必要としないレバー内蔵コネクタを提供することを目的としている。
【課題を解決するための手段】
【０００６】
本発明は上記課題を解決するためになされたもので、本願の第１発明のレバー内蔵コネクタの前提部は、メスハウジングと前記メスハウジングを内部に収納する空間を有するオスハウジングとを備えて成るレバー内蔵コネクタであって、  前記メスハウジングがレバーをハウジングの外側に備え、前記オスハウジングが、前記オスハウジングの内側と前記メスハウジングの外側との間に前記レバーを押すレバー押圧部材と、前記レバー押圧部材を押すことにより前記レバーの内側に引き込まれる引き込み用ボスと、を備えていることである。
【０００７】
そして、第１発明の特徴部は、前記レバーが、ピンを中心にして回動する１対のＬ字形レバーを左右対称に備え、かつ前記Ｌ字形レバーの先端には至近距離にあるボスを内側に引き込む引き込み曲面が形成されていることである。
【発明の効果】
【０００８】
第１発明によれば、実際のコネクタ挿入作業でコネクタ他に、レバーやスライダなどを押圧する必要がなく、かつ複雑なカム溝や多数の回動支点・ピン・孔を必要としないレバー内蔵コネクタが得られる。
【０００９】
さらに、第１発明によれば、前記レバーがオスハウジングのボスを確実に内側に引き込むことができるようになる。
【図面の簡単な説明】
【００１０】
【図１】図１は本発明に係るレバー内蔵コネクタの斜視図で、（Ａ）はメスハウジングをオスハウジング内に挿入する前の斜視図、（Ｂ）はオスハウジングの内部を示す斜視図である。
【図２】図２（Ａ）は本発明に係るレバー内蔵コネクタの正面図、図２（Ｂ）は図２（Ａ）のＡ−Ａ断面矢視図である。
【図３】図３はメスハウジングとオスハウジングとを用いたコネクタの嵌合動作を説明する平面断面図で、（１）は仮嵌合、（３）は嵌合完了、（２）はその途中の図である。
【発明を実施するための形態】
【００１１】
電線を持ってハウジングを押す以外には、レバーやスライダなどを一切押す必要がなく、かつ複雑なカム溝などを必要としない本発明に係るレバー内蔵コネクタについて、図１〜図３を用いて説明する。
図１は本発明に係るレバー内蔵コネクタの斜視図で、（Ａ）はメスハウジングをオスハウジング内に挿入する前の斜視図、（Ｂ）はオスハウジングの内部を示す斜視図である。
図２（Ａ）は本発明に係るレバー内蔵コネクタの正面図、図２（Ｂ）は図２（Ａ）のＡ−Ａ断面矢視図である。
【００１２】
〈本発明に係るレバー内蔵コネクタの構成〉
図１および図２において、本発明に係るレバー内蔵コネクタ１０は以下に説明するメスハウジング２０とオスハウジング３０とのみから成っている。
【００１３】
〈メスハウジング２０〉
メスハウジング２０は、従来製品と同じく多数の接続端子を内蔵し、そのための端子窓２Ｈを備えている点は従来製品と変わらない。
本発明に係るメスハウジング２０が従来製品と異なるのは、オスハウジング３０の内側に設けられた引き込み用ボス３Ｂを移動させるためのレバー２Ｌを次のように形成してハウジングの外側に備えている点である。
【００１４】
《レバー２Ｌ》
レバー２Ｌはピン２Ｐを中心にして回動する１対のＬ字形レバー２Ｌ１、２Ｌ２を左右対称に備えて成る。Ｌ字形レバー２Ｌ１、２Ｌ２の先端にはそれぞれ引き込み曲面２Ｓ１、２Ｓ２が形成されており、これらの引き込み曲面２Ｓ１、２Ｓ２は、引き込み曲面２Ｓ１、２Ｓ２が互いに近づくことで至近距離にあるボス３Ｂを引き込み曲面２Ｓ１、２Ｓ２の内側に引き込む曲面とそのようになる位置に配置している。１対のＬ字形レバー２Ｌ１、２Ｌ２は仮嵌合時には離間状態にあるので、したがって引き込み曲面２Ｓ１、２Ｓ２も互いに離間している。
【００１５】
〈オスハウジング３０〉
オスハウジング３０は、メスハウジング２０を内部に収納する空間を備えている点は従来製品と変わらない。オスハウジング３０が従来製品と異なるのはオスハウジング３０の内側とメスハウジング２０との間に若干の隙間を設け、その隙間に以下に説明するレバー押圧部材３Ｐ１、３Ｐ２と、レバー押圧部材３Ｐ１、３Ｐ２の中間に引き込み用ボス３Ｂと、を設けている点である。
【００１６】
《レバー押圧部材３Ｐ１、３Ｐ２》
メスハウジング２０とオスハウジング３０とが仮嵌合した状態（図３（１）参照）で、レバー押圧部材３Ｐ１、３Ｐ２はメスハウジング２０のＬ字形レバー２Ｌ１、２Ｌ２の端部近傍に軽く当接する位置に設けられている。
嵌合するために、メスハウジング２０をオスハウジング３０に押し込むと、オスハウジング３０のレバー押圧部材３Ｐ１、３Ｐ２がそれぞれメスハウジング２０のＬ字形レバー２Ｌ１、２Ｌ２を押してＬ字形レバー２Ｌ１、２Ｌ２を互いに近づけるようになるので、Ｌ字形レバー２Ｌ１、２Ｌ２をあたかも手で握ったのと同じような作用・効果が得られる。
【００１７】
《引き込み用ボス３Ｂ》
メスハウジング２０とオスハウジング３０とが仮嵌合した状態で、レバー押圧部材３Ｐ１、３Ｐ２はメスハウジング２０のＬ字形レバー２Ｌ１、２Ｌ２の端部近傍に軽く当接した状態であり、引き込み曲面２Ｓ１、２Ｓ２の先端同士もまだ開いている。引き込み用ボス３Ｂはこれらの引き込み曲面２Ｓ１、２Ｓ２が互いに当接したときにレバー側に引き込まれる位置に設けられている。
【００１８】
〈本発明に係るレバー内蔵コネクタの動作〉
以上のメスハウジング２０とオスハウジング３０とを用いたコネクタの嵌合動作について、図３を用いて説明する。図３はメスハウジング２０とオスハウジング３０とを用いたコネクタの嵌合動作を説明する平面断面図で、（１）は仮嵌合、（３）は嵌合完了、（２）はその途中の図である。
（１）メスハウジング２０をオスハウジング３０の内部に挿入して、仮嵌合させる。
図３（１）はこの仮嵌合状態を示している。この仮嵌合状態では、レバー押圧部材３Ｐ１、３Ｐ２はメスハウジング２０のＬ字形レバー２Ｌ１、２Ｌ２の端部近傍に軽く当接した状態になり、引き込み曲面２Ｓ１、２Ｓ２の先端同士も開いていて、引き込み用ボス３Ｂはこれらの引き込み曲面２Ｓ１、２Ｓ２にまだ捕捉されていない。
（２）メスハウジング２０をさらに押すと、メスハウジング２０のＬ字形レバー２Ｌ１、２Ｌ２がオスハウジング３０のレバー押圧部材３Ｐ１、３Ｐ２に押圧されて、Ｌ字形レバー２Ｌ１、２Ｌ２同士の間隔が狭くなり、したがってピン２Ｐの反対側の引き込み曲面２Ｓ１、２Ｓ２は引き込み用ボス３Ｂを内側に引き込むようになる。図３（２）はこの状態を示している。
（３）メスハウジング２０をさらに押すと、最終的に、メスハウジング２０のＬ字形レバー２Ｌ１、２Ｌ２がオスハウジング３０のレバー押圧部材３Ｐ１、３Ｐ２に押圧されて、Ｌ字形レバー２Ｌ１、２Ｌ２同士の間隔が最も狭くなり、したがって引き込み曲面２Ｓ１、２Ｓ２は引き込み用ボス３Ｂを内側に引き込み完了し、嵌合が完了する。
【００１９】
〈本発明に係るレバー内蔵コネクタの効果〉
本発明に係るレバー内蔵コネクタによれば、メスハウジング２０を嵌合方向に押すと、オスハウジング３０内のレバー押圧部材３Ｐ１、３Ｐ２がメスハウジング２０のＬ字形レバー２Ｌ１、２Ｌ２を押すことで、倍力効果が働き、挿入力が低減される。また、メスハウジング２０を嵌合方向に押すだけでＬ字形レバー２Ｌ１、２Ｌ２も押されるので、レバーを別途押す必要がなくなり、通常のコネクタ嵌合動作だけで、レバーによる倍力効果が作用するようになる。
実際のコネクタ挿入作業では電線を持ってコネクタを挿入することが多いが、本発明によれば、コネクタの他には、レバーやスライダなどを一切押圧する必要がなく、かつ複雑なカム溝や多数の回動支点・ピン・孔を必要としないので製造が簡略化されかつ壊れにくいものとなる。
【符号の説明】
【００２０】
１０  本発明に係るレバー内蔵コネクタ
２０  メスハウジング
２Ｌ１、２Ｌ２  Ｌ字形レバー
２Ｐ  ピン
２Ｓ１、２Ｓ２  引き込み曲面
３０  オスハウジング
３Ｂ  引き込み用ボス
３Ｐ１、３Ｐ２  レバー押圧部材
【図１】
0005590719.tif 000002
【図２】
0005590719.tif 000003
【図３】
0005590719.tif 000004